(57)【要約】【課題】  ＡＶアンプのマイコンに電源検出端子を別途設けることなく、携帯型プレーヤがハイバネート状態から電源オン状態に移行したことを判別する。【解決手段】  状態検出回路１６は、携帯型プレーヤ２０がハイバネート状態であることを検出しているときハイバネート状態の情報をＵＡＲＴライン１４，３４に供給する。マイコン３１は、ＵＡＲＴライン３４の情報を判別して、携帯型プレーヤ２０ハイバネート状態であることを判別する。状態検出回路１６は、携帯型プレーヤ２０がハイバネート状態から電源オン状態に移行したことを検出したとき、その旨を示す情報をＵＡＲＴライン１４，３４に供給する。マイコン３１は、ＵＡＲＴライン３４の情報を判別して、携帯型プレーヤ２０がハイバネート状態から電源オン状態に移行したことを判別する。【選択図】図１
2010187203.tif 000002
【特許請求の範囲】
【請求項１】
第１の電子機器と、前記第１の電子機器と所定の通信方式で通信する第２の電子機器とを備える通信システムにおいて、前記第２の電子機器が第１の状態から第２の状態に移行したことを検出する状態判別装置であって、
前記第１の電子機器と前記第２の電子機器との間で前記所定の通信方式で通信する通信ラインと、
前記第２の電子機器が前記第１の状態であること、及び、前記第２の電子機器が前記第１の状態から前記第２の状態に移行したことを検出し、検出した前記第１の状態又は第２の状態に関する情報を、前記通信ラインに供給する状態検出回路と、
前記通信ラインに供給されている前記情報に基づいて、前記第２の電子機器が前記第１の状態から前記第２の状態に移行したか否かを判別する制御手段とを備える、状態判別装置。
【請求項２】
前記状態検出回路が、前記第２の電子機器が前記第１の状態であることを検出しているとき、前記通信ラインにハイレベル及びローレベルの内の一方レベルの信号を供給し、前記第２の電子機器が前記第１の状態から前記第２の状態に移行したことを検出したとき、前記通信ラインに他方レベルの信号を供給させ、
前記制御手段が、前記通信ラインに供給されている信号が前記一方レベルであるとき前記第２の電子機器が前記第１の状態であることを判別し、前記通信ラインに供給されている信号が前記一方レベルから前記他方レベルに反転したとき前記第２の電子機器が前記第１の状態から前記第２の状態に移行したことを判別する、請求項１に記載の状態判別装置。
【請求項３】
前記通信ラインが、前記第２の電子機器から前記第１の電子機器に情報が伝送されていないとき前記他方レベルであり、
前記状態検出回路が、前記第２の電子機器が前記第１の状態であることを検出しているとき前記通信ラインを前記一方レベルの電位に接続させ、前記第２の電子機器が前記第１の状態から前記第２の状態に移行したことを検出したとき前記通信ラインを前記一方レベルの電位から切り離すスイッチ手段を有する、請求項２に記載の状態判別装置。
【請求項４】
前記第１の状態が電源オフ状態であり、前記第２の状態が電源オン状態である、請求項１〜３のいずれかに記載の状態判別装置。
【発明の詳細な説明】
【技術分野】
【０００１】
本発明は、第１の電子機器と、第１の電子機器と通信する第２の電子機器とを備える通信システムにおいて、第２の電子機器が第１の状態から第２の状態に移行したことを検出する状態判別装置に関する。
【背景技術】
【０００２】
ＡＶアンプ（第１の電子機器）はコネクタを有しており、コネクタには、携帯型オーディオプレーヤ（第２の電子機器であり、以下、携帯型プレーヤという。）が接続可能である。または、コネクタには、携帯型プレーヤ用の充電装置（クレードル）が接続可能であり、この場合、充電装置に携帯型プレーヤが接続される。このような通信システムにおいて、携帯型プレーヤとＡＶアンプとは例えばＵＡＲＴ通信によって相互に通信する。携帯型プレーヤの仕様によっては、携帯型プレーヤがハイバネート状態から電源オン状態に移行した後、所定時間（本例では２秒）以内に、ＡＶアンプと携帯型プレーヤとが通信を開始しないと、携帯型プレーヤが通信失敗となるものがある。
【０００３】
携帯型プレーヤがハイバネート状態から電源オン状態に移行したことをＡＶアンプが瞬時に認識するため、ＡＶアンプのマイコンに電源入力端子を設け、携帯型プレーヤがハイバネート状態の時には電源入力端子にローレベルの信号が入力され、電源オン状態になると電源入力端子にハイレベルの信号が入力される。しかし、この方法では、マイコンに電源入力端子を設ける必要があり、コストが増大する。さらに、ＡＶアンプと、携帯型プレーヤ（又はその充電装置）との間で電源状態を送受信する信号ラインをＵＡＲＴラインの他に別途設ける必要があるので、さらにコストが増大する。
【先行技術文献】
【特許文献】
【０００４】
【特許文献１】特開２００８−９７２９９号公報
【発明の概要】
【発明が解決しようとする課題】
【０００５】
本発明は上記従来の課題を解決するためになされたものであり、その目的は、第１の電子機器の制御手段に入力端子を別途設けることなく、又、第２の電子機器の状態に関する情報を伝送する信号ラインを、所定の通信方式の通信ラインの他に別途設けることなく、第２の電子機器が第１の状態から第２の状態に移行したことを判別できる状態判別装置を提供することである。
【課題を解決するための手段】
【０００６】
本発明の好ましい実施形態による状態判別装置は、第１の電子機器と、前記第１の電子機器と所定の通信方式で通信する第２の電子機器とを備える通信システムにおいて、前記第２の電子機器が第１の状態から第２の状態に移行したことを検出する状態判別装置であって、前記第１の電子機器と前記第２の電子機器との間で前記所定の通信方式で通信する通信ラインと、前記第２の電子機器が前記第１の状態であること、及び、前記第２の電子機器が前記第１の状態から前記第２の状態に移行したことを検出し、検出した前記第１の状態又は第２の状態に関する情報を、前記通信ラインに供給する状態検出回路と、前記通信ラインに供給されている前記情報に基づいて、前記第２の電子機器が前記第１の状態から前記第２の状態に移行したか否かを判別する制御手段とを備える。
【０００７】
状態検出回路は、第２の電子機器が第１の状態であることを検出しているとき、第１の状態の情報を通信ラインに供給する。制御手段は、通信ラインの情報を判別して、第２の電子機器が第１の状態であることを判別する。一方、状態検出回路は、第２の電子機器が第１の状態から第２の状態に移行したことを検出したとき、第２の状態の情報を通信ラインに供給する。制御手段は、通信ラインの情報を判別して、第２の電子機器が第１の状態から第２の状態に移行したことを判別する。このように通信ラインを使って、第２の電子機器の状態に関する情報を伝送するので、第１の電子機器の制御手段に入力端子を別途設けることなく、又、第２の電子機器の状態に関する情報を伝送する信号ラインを、通信ラインの他に別途設ける必要がない。
【０００８】
好ましい実施形態においては、前記状態検出回路が、前記第２の電子機器が前記第１の状態であることを検出しているとき、前記通信ラインにハイレベル及びローレベルの内の一方レベルの信号を供給し、前記第２の電子機器が前記第１の状態から前記第２の状態に移行したことを検出したとき、前記通信ラインに他方レベルの信号を供給させ、前記制御手段が、前記通信ラインに供給されている信号が前記一方レベルであるとき前記第２の電子機器が前記第１の状態であることを判別し、前記通信ラインに供給されている信号が前記一方レベルから前記他方レベルに反転したとき前記第２の電子機器が前記第１の状態から前記第２の状態に移行したことを判別する。
【０００９】
好ましい実施形態においては、前記通信ラインが、前記第２の電子機器から前記第１の電子機器に情報が伝送されていないとき前記他方レベルであり、前記状態検出回路が、前記第２の電子機器が前記第１の状態であることを検出しているとき前記通信ラインを前記一方レベルの電位に接続させ、前記第２の電子機器が前記第１の状態から前記第２の状態に移行したことを検出したとき前記通信ラインを前記一方レベルの電位から切り離すスイッチ手段を有する。
【００１０】
好ましい実施形態においては、前記第１の状態が電源オフ状態であり、前記第２の状態が電源オン状態である。
【発明の効果】
【００１１】
第１の電子機器の制御手段に入力端子を別途設けることなく、又、第２の電子機器の状態に関する情報を伝送する信号ラインを、所定の通信方式の通信ラインの他に別途設けることなく、第２の電子機器が第１の状態から第２の状態に移行したことを判別できる。
【発明を実施するための形態】
【００１２】
以下、本発明の好ましい実施形態による状態判別装置について説明するが、本発明はこれらの実施形態には限定されない。図１は、状態判別装置を含む通信システムを示すブロック図である。通信システムは、第１の電子機器（ＡＶアンプ）３０と、第２の電子機器（携帯型プレーヤ）２０と、携帯型プレーヤ２０の充電装置１０とを備える。状態判別装置は、携帯型プレーヤ２０が電源オフ状態（第１の状態）であるか、又は、電源オフ状態から電源オン状態（第２の状態）に移行したかを判別する。電源オフ状態は、ハイバネート状態、スリープ状態、又は、スタンバイ状態等であるが、ハイバネート状態を例に説明する。状態判別装置は、本例では、ＡＶアンプ３０のマイコン３１、充電装置１０内に設けられた状態検出回路１６、及び、ＵＡＲＴライン１４，３４によって構成されている。
【００１３】
携帯型プレーヤ２０とＡＶアンプ３０とは、充電装置１０を介して所定の通信方式で相互に通信する。通信とは、機器情報、動作状態情報（再生状態、停止状態等）を通知することや、制御コマンド（再生指示、停止指示等）を送受信することである。本例においては、所定の通信方式として、ＵＡＲＴ（Universal Asynchronous Receiver Transmitter）が採用されている。
【００１４】
携帯型プレーヤ２０は、オーディオファイルを再生して、ＡＶアンプ３０にオディオ信号を送信するものである。携帯型プレーヤ２０は、マイコン２１と、コネクタ２２と、ＵＡＲＴライン（通信ライン）２３，２４と、電源状態ライン２５と、電源回路２６とを備える。なお、携帯型プレーヤ２０において本発明の特徴ではない構成（例えば記録媒体やＤＡＣ等）については説明を省略する。
【００１５】
マイコン２１は、制御端子２１ａ、２１ｂ、及び、電源状態端子２１ｃを含む。制御端子２１ａ、２１ｂは、それぞれ、ＵＡＲＴライン２３，２４を介してコネクタ２２に接続されている。制御端子２１ａは、ＵＡＲＴライン２３を介して、ＡＶアンプ３０のマイコン３１からの通知や制御コマンド等を受信する。制御端子２１ｂは、ＵＡＲＴライン２４を介して、ＡＶアンプ３０のマイコン３１に通知や制御コマンド等を送信する。
【００１６】
電源状態端子２１ｃは、電源状態ライン２５を介してコネクタ２２に接続されている。電源状態端子２１ｃは、携帯型プレーヤ２０の電源状態に関する情報を電源状態ライン２５に出力する。例えば、電源状態端子２１ｃは、携帯型プレーヤ２０がハイバネート状態のときには、電源状態ライン２５をハイインピーダンス状態に制御する。一方、携帯型プレーヤ２０がハイバネート状態から電源オン状態に移行したときに、電源状態端子２１ｃは、電源状態ライン２５にハイレベルの信号を出力する。
【００１７】
なお、図１Ｂに示すように、マイコン２１に電源状態端子２１ｃを設ける代わりに、電源状態ライン２５を電源回路２６等に接続することにより、携帯型プレーヤ２０がハイバネート状態のときには電源状態ライン２５をハイインピーダンス状態に制御し、携帯型プレーヤ２０がハイバネート状態から電源オン状態に移行したときに、電源状態ライン２５にハイレベルの信号（電源電圧）を出力してもよい。
【００１８】
コネクタ２２は、充電装置１０のコネクタ１１に接続されており、携帯型プレーヤ２０と充電装置１０との間で通知、制御コマンド、電源状態等を送受信する。
【００１９】
充電装置１０は、携帯型プレーヤ２０から送信されたオーディオ信号をＡＶアンプ３０に送信し、かつ、携帯型プレーヤ２０の図示しないバッテリを充電する。充電装置１０は、コネクタ１１，１２と、ＵＡＲＴライン１３，１４と、電源状態ライン１５と、状態検出回路１６とを備える。なお、充電装置１０において本発明の特徴ではない構成（例えば、電源供給回路等）については説明を省略する。
【００２０】
ＵＡＲＴライン１３は、コネクタ１１，２２を介してＵＡＲＴライン２３に接続されている。ＵＡＲＴライン１３は、コネクタ１２を介してＡＶアンプ３０のマイコン３１から送信された通知、制御コマンド等を、コネクタ１１を介して、携帯型プレーヤ２０のマイコン２１に送信する。
【００２１】
ＵＡＲＴライン１４は、コネクタ１１，２２を介してＵＡＲＴライン２４に接続されている。ＵＡＲＴライン１４は、コネクタ１１を介して携帯型プレーヤ２０のマイコン２１から送信された通知、制御コマンド等を、コネクタ１２を介して、ＡＶアンプ３０のマイコン３１に送信する。
【００２２】
電源状態ライン１５は、コネクタ１１，２２を介して携帯型プレーヤ２０の電源状態ライン２５に接続されている。電源状態ライン１５は、携帯型プレーヤ２０がハイバネート状態の時にハイインピーダンス状態であり、携帯型プレーヤ２０がハイバネート状態から電源オン状態に移行したときにハイレベルの信号が供給される。
【００２３】
状態検出回路１６は、携帯型プレーヤ２０の電源状態を検出して、電源状態に関する情報を所定の通信方式を使用してＡＶアンプ３０のマイコン１に送信する。従って、ＡＶアンプ３０のマイコン３１に電源検出端子を別途設ける必要が無く、かつ、充電装置１０からＡＶアンプ２０に携帯型プレーヤ１０の電源状態に関する情報を伝送するための信号ラインを別途設ける必要がない。本例では、携帯型プレーヤ１０の電源状態に関する情報は、ＵＡＲＴライン１４，３４に供給されてＡＶアンプ３０のマイコン３１に伝送される。
【００２４】
図２に示すように、状態検出回路１６は、携帯型プレーヤ２０がハイバネート状態の時（すなわち、電源状態ライン１５，２５がハイインピーダンス状態の時）、ＵＡＲＴライン１４にローレベルの信号を供給し続ける。また、状態検出回路１６は、携帯型プレーヤ２０がハイバネート状態から電源オン状態に移行した時（すなわち、電源状態ライン１５，２５がハイレベルの時）、状態検出回路１６からＵＡＲＴライン１４への出力をハイインピーダンス状態にすることにより、ＵＡＲＴライン１４に携帯型プレーヤ２０側からＵＡＲＴ信号が送信可能にする。ＵＡＲＴは、アクティブハイでデータを伝送する通信方式である。すなわち、ＵＡＲＴライン１４，３４は、携帯型プレーヤ２０からの情報伝送がないときにハイレベルであり、情報伝送があるときにローレベルとなる。従って、状態検出回路１６からＵＡＲＴライン１４への出力をハイインピーダンス状態にすることにより、ＵＡＲＴライン１４はハイレベルになる。従って、ＵＡＲＴライン１４がローレベルからハイレベルに反転したことを検出することにより、携帯型プレーヤ２０がハイバネート状態から電源オン状態に移行したことを判別することができる。
【００２５】
状態検出回路１６は、抵抗Ｒ１〜Ｒ３、ＭＯＳＦＥＴ  Ｑ１，Ｑ２を含む。抵抗Ｒ１は、一端が電源状態ライン１５に接続され、他端が抵抗Ｒ２を介して接地電位に接続され、かつ、ＭＯＳＦＥＴ  Ｑ１のゲートに接続されている。ＭＯＳＦＥＴ  Ｑ１のソースは接地電位に接続され、ドレインは抵抗Ｒ３を介して電圧Ｖａが供給され、かつ、ＭＯＳＦＥＴ  Ｑ２のゲートに接続されている。ＭＯＳＦＥＴ  Ｑ２のソースは接地電位に接続され、ドレインは状態検出回路１６の出力端としてＵＡＲＴライン１４に接続されている。
【００２６】
ＡＶアンプ３０は、携帯型プレーヤ２０から送信されたオーディオ信号を増幅してスピーカーに出力する。ＡＶアンプ３０は、マイコン３１と、コネクタ３２と、ＵＡＲＴライン３３，３４とを備える。なお、ＡＶアンプ３０における本発明の特徴ではない構成（例えば、アンプ回路等）については説明を省略する。
【００２７】
マイコン３１は、制御端子３１ａ、３１ｂを含む。制御端子３１ａは、ＵＡＲＴライン３３を介して、携帯型プレーヤ２０のマイコン２１に通知や制御コマンド等を送信する。制御端子３１ｂは、ＵＡＲＴライン３４を介して、携帯型プレーヤ２０のマイコン２１から通知や制御コマンド等を受信する。
【００２８】
コネクタ３２は、充電装置１０のコネクタ１２に接続されており、ＡＶアンプ３０と充電装置１０との間で通知、制御コマンド、電源状態等を送受信する。
【００２９】
ＵＡＲＴライン３３は、コネクタ３２，１２を介してＵＡＲＴライン１３に接続されている。ＵＡＲＴライン３３は、マイコン３１からの通知や制御コマンド等を、充電装置１０を介して携帯型プレーヤ２０に送信する。ＵＡＲＴライン３４は、コネクタ３２，１２を介してＵＡＲＴライン１４に接続されている。ＵＡＲＴライン３４は、携帯型プレーヤ２０のマイコン２１からの通知や制御コマンド等をマイコン３１に供給する。
【００３０】
ＵＡＲＴライン３４は、携帯型プレーヤ２０がハイバネート状態の時にローレベルであり、ハイバネート状態から電源オン状態に移行したときにローレベルからハイレベルに反転する。マイコン３１は、ＵＡＲＴライン３４がローレベルからハイレベルに反転したか否かを監視しており、ローレベルからハイレベルに反転したことを判断したときに、携帯型プレーヤ２０がハイバネート状態から電源オン状態に移行したことを認識し、ＵＡＲＴライン３３，１３を介して携帯型プレーヤ２０のマイコン２１との間で通信を開始する。従って、携帯型プレーヤ２０がハイバネート状態から電源オン状態に移行したときに、マイコン３１は瞬時に携帯型プレーヤ２０のマイコン２１と通信することができ、通信エラーを防止できる。
【００３１】
以上の構成を有する状態判別装置についてその動作を説明する。
［携帯型プレーヤ２０がハイバネート状態の時］
携帯型プレーヤ２０において電源状態ライン２５はハイインピーダンス状態であり、充電装置１０の電源状態ライン１５もハイインピーダンス状態である。従って、ＭＯＳＦＥＴ  Ｑ１のゲートは接地電位であるので、ＭＯＳＦＥＴ  Ｑ１はオフ状態であり、電源電圧ＶａがＭＯＳＦＥＴ  Ｑ２のゲートに供給され、ＭＯＳＦＥＴＱ２はオン状態である。従って、ＵＡＲＴライン１４は、接地電位に接続された状態であり、ローレベルである。ＵＡＲＴライン３４もローレベルである。ＡＶアンプ３０のマイコン３１は、図３に示すように、ＵＡＲＴライン３４がローレベルからハイレベルに反転したか否かを判断している（Ｓ１）が、ここでは、ローレベルのままであるので（Ｓ１でＮＯ）、携帯型プレーヤ２０が未だ電源オン状態に移行していないと判断する。
【００３２】
［携帯型プレーヤ２０がハイバネート状態から電源オン状態に移行した時］
携帯型プレーヤ２０のマイコン２１は、電源状態ライン２５にハイレベルの信号を供給する。充電装置１０の電源状態ライン１５にもハイレベルの信号が供給される。ＭＯＳＦＥＴ  Ｑ１のゲートにハイレベルの信号が供給されるので、ＭＯＳＦＥＴ  Ｑ１はオフ状態からオン状態になる。ＭＯＳＦＥＴ  Ｑ２は、ゲートが接地電位に接続された状態になり、オン状態からオフ状態になる。従って、状態検出回路１６は、ＵＡＲＴライン１４から切り離された状態になり、状態検出回路１６はＵＡＲＴライン１４にとってハイインピーダンス状態になる。
【００３３】
ＵＡＲＴライン１４は、ＵＡＲＴ信号にデータが含まれない場合にハイレベルであるので、ＭＯＳＦＥＴ  Ｑ２がオフ状態になることにより、ローレベルからハイレベルに反転する。ＵＡＲＴライン３４もローレベルからハイレベルに反転する。ＡＶアンプ３０のマイコン３１は、図３に示すように、ＵＡＲＴライン３４がローレベルからハイレベルに反転したか否かを判断している（Ｓ１）が、ローレベルからハイレベルに反転したと判断し（Ｓ１でＹＥＳ）、携帯型プレーヤ２０がハイバネート状態から電源オン状態に移行したと判断する。その結果、マイコン３１は、ＵＡＲＴライン３３を介して携帯型プレーヤ２０のマイコン２１に所定の通知（ＡＶアンプ３０の機器情報の通知等）を送信する（Ｓ２）。
【００３４】
携帯型プレーヤ２０のマイコン２１は、ＵＡＲＴライン２３を介してＡＶアンプ３１のマイコン３１から所定の通知を受信すると、ＵＡＲＴライン２４を介してＡＶアンプ３０のマイコン３１に所定の通知（携帯型プレーヤ２０の機器情報の通知等）を送信する。
【００３５】
以上のように、本実施形態によると、ＵＡＲＴライン１４，３４を使って携帯型プレーヤ２０の電源状態に関する情報をＡＶアンプ３０に送信するので、ＡＶアンプ３０のマイコン３１に別途電源検出端子を設ける必要がなく、充電装置１０とＡＶアンプ３０との間で携帯型プレーヤ２０の電源状態に関する情報を伝送するラインを別途設ける必要がない。その上、携帯型プレーヤ２０が電源オン状態に移行したことをＡＶアンプ３０のマイコン３１が瞬時に判断することができるので、携帯型プレーヤ２０において通信エラーが発生することが防止される。
【００３６】
なお、状態検出回路１６を充電装置１０内に設ける場合に限らず、図４に示すように、携帯型プレーヤ２０をＡＶアンプ３０に直接接続するような構成においては、ＡＶアンプ３０内に状態検出回路１６が設けられる。
【００３７】
また、所定の通信方式は、ＵＡＲＴに限定されず、Ｉ２Ｃ等の他の通信方式が採用されてもよい。また、上記実施形態におけるハイレベル及びローレベルをそれぞれ逆にした場合にも適用することができる。
【００３８】
以上、本発明の好ましい実施形態を説明したが、本発明はこれらの実施形態には限定されない。
【産業上の利用可能性】
【００３９】
本発明は、ＡＶアンプ、携帯型プレーヤ、及び、携帯型プレーヤの充電装置等に好適に採用され得る。
【図面の簡単な説明】
【００４０】
【図１】本実施形態の状態判別装置を示す図である。
【図１Ｂ】別の実施形態の状態判別装置を示す図である。
【図２】ＵＡＲＴライン１４，３４のレベルを示す図である。
【図３】マイコン３１の処理を示すフローチャートである。
【図４】別の実施形態の状態判別装置を示す図である。
【符号の説明】
【００４１】
１０      充電装置
１１      コネクタ
１２      コネクタ
１３      ＵＡＲＴライン
１４      ＵＡＲＴライン
１５      電源状態ライン
２０      携帯型プレーヤ
２１      マイコン
２２      コネクタ
２３      ＵＡＲＴライン
２４      ＵＡＲＴライン
２５      電源状態ライン
３０      ＡＶアンプ
３１      マイコン
３２      コネクタ
３３      ＵＡＲＴライン
３４      ＵＡＲＴライン
【図１】
2010187203.tif 000003
【図１Ｂ】
2010187203.tif 000004
【図２】
2010187203.tif 000005
【図３】
2010187203.tif 000006
【図４】
2010187203.tif 000007
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
第２の電子機器と所定の通信方式で通信する第１の電子機器と、前記第１の電子機器と前記第２の電子機器との間に接続される第３の電子機器とを備える通信システムであって、
前記第１の電子機器、前記第２の電子機器及び前記第３の電子機器の各々は、前記第１の電子機器と前記第２の電子機器との間で前記所定の通信方式で通信する通信ラインを有し、
前記第３の電子機器が、前記第２の電子機器が前記第１の状態であること、及び、前記第２の電子機器が前記第１の状態から前記第２の状態に移行したことを検出し、検出した前記第１の状態又は第２の状態に関する情報を、前記通信ラインに供給する状態検出回路を有し、
前記第１の電子機器が、前記通信ラインに供給されている前記情報に基づいて、前記第２の電子機器が前記第１の状態から前記第２の状態に移行したか否かを判別する制御手段を有する、通信システム。
【請求項２】
前記状態検出回路が、前記第２の電子機器が前記第１の状態であることを検出しているとき、前記通信ラインにハイレベル及びローレベルの内の一方レベルの信号を供給し、前記第２の電子機器が前記第１の状態から前記第２の状態に移行したことを検出したとき、前記通信ラインに他方レベルの信号を供給させ、
前記制御手段が、前記通信ラインに供給されている信号が前記一方レベルであるとき前記第２の電子機器が前記第１の状態であることを判別し、前記通信ラインに供給されている信号が前記一方レベルから前記他方レベルに反転したとき前記第２の電子機器が前記第１の状態から前記第２の状態に移行したことを判別する、請求項１に記載の通信システム。
【請求項３】
前記通信ラインが、前記第２の電子機器から前記第１の電子機器に情報が伝送されていないとき前記他方レベルであり、
前記状態検出回路が、前記第２の電子機器が前記第１の状態であることを検出しているとき前記通信ラインを前記一方レベルの電位に接続させ、前記第２の電子機器が前記第１の状態から前記第２の状態に移行したことを検出したとき前記通信ラインを前記一方レベルの電位から切り離すスイッチ手段を有する、請求項２に記載の通信システム。
【請求項４】
前記第１の状態が電源オフ状態であり、前記第２の状態が電源オン状態である、請求項１〜３のいずれかに記載の通信システム。
【請求項５】
請求項１〜４のいずれかに記載の通信システムに適用される前記第１の電子機器。
【請求項６】
請求項１〜４のいずれかに記載の通信システムに適用される前記第３の電子機器。
【請求項７】
第２の電子機器と所定の通信方式で通信する第１の電子機器であって、
前記第１の電子機器及び前記第２の電子機器の各々は、前記第１の電子機器と前記第２の電子機器との間で前記所定の通信方式で通信する通信ラインを有し、
前記第１の電子機器が、前記第２の電子機器が前記第１の状態であること、及び、前記第２の電子機器が前記第１の状態から前記第２の状態に移行したことを検出し、検出した前記第１の状態又は第２の状態に関する情報を、前記通信ラインに供給する状態検出回路と、
前記通信ラインに供給されている前記情報に基づいて、前記第２の電子機器が前記第１の状態から前記第２の状態に移行したか否かを判別する制御手段とを有する、第１の電子機器。